(57)【要約】【課題】利用者によるかごへの乗り降りをスムーズにさせることができるエレベータ装置を得る。【解決手段】かご１の出入口付近の領域における利用者を検出するかご側検出装置３と、かご１の出入口付近の領域に向かってアナウンスをするかご側アナウンス装置４と、乗場６の出入口付近の領域における利用者を検出する乗場側検出装置８と、乗場６の出入口付近の部分に向かってアナウンスをする乗場側アナウンス装置９と、かご呼びによってかご１が乗場６に停止するときに、かご側検出装置３の検出信号および乗場側検出装置８の検出信号に基づいて、かご側アナウンス装置４および乗場側アナウンス装置９にアナウンスをさせるアナウンス制御装置１４とを備えている。【選択図】図１
2013018589.tif 000002
【特許請求の範囲】
【請求項１】
かごおよび乗場のうちの何れか一方の出入口付近の領域における被検出体を検出する検出装置と、
前記領域にアナウンスをするアナウンス装置と、
前記かごの昇降を制御するエレベータ制御装置と、
前記かごおよび前記乗場のうちの他方に設けられ、操作されることにより前記エレベータ制御装置が呼びを登録する操作装置と、
前記呼びによって前記かごが前記乗場に停止するときに、前記検出装置の検出信号に基づいて、前記アナウンス装置にアナウンスをさせるアナウンス制御装置とを備えたことを特徴とするエレベータ装置。
【請求項２】
前記検出装置は、前記乗場の出入口付近の領域における前記被検出体を検出する乗場側検出装置を有し、
前記アナウンス装置は、前記乗場の出入口付近の領域にアナウンスをする乗場側アナウンス装置を有し、
前記操作装置は、操作されることにより前記エレベータ制御装置がかご呼びを登録するかご側操作装置を有し、
前記アナウンス制御装置は、前記かご呼びによって前記かごが前記乗場に停止するときに、前記乗場側検出装置の検出信号に基づいて、前記乗場側アナウンス装置にアナウンスをさせることを特徴とする請求項１に記載のエレベータ装置。
【請求項３】
前記検出装置は、前記かごの出入口付近の領域における前記被検出体を検出するかご側検出装置を有していることを特徴とする請求項２に記載のエレベータ装置。
【請求項４】
前記アナウンス装置は、前記かごの出入口付近の領域にアナウンスをするかご側アナウンス装置を有していることを特徴とする請求項２または請求項３に記載のエレベータ装置。
【請求項５】
前記検出装置は、前記かごの出入口付近の領域における前記被検出体を検出するかご側検出装置を有し、
前記アナウンス装置は、前記かごの出入口付近の領域にアナウンスをするかご側アナウンス装置を有し、
前記操作装置は、操作されることにより前記エレベータ制御装置が乗場呼びを登録する乗場側操作装置を有し、
前記アナウンス制御装置は、前記乗場呼びによって前記かごが前記乗場に停止するときに、前記かご側検出装置の検出信号に基づいて、前記かご側アナウンス装置にアナウンスをさせることを特徴とする請求項１に記載のエレベータ装置。
【請求項６】
前記検出装置は、前記乗場の出入口付近の領域における前記被検出体を検出する乗場側検出装置を有していることを特徴とする請求項５に記載のエレベータ装置。
【請求項７】
前記アナウンス装置は、前記乗場の出入口付近の領域にアナウンスをする乗場側アナウンス装置を有していることを特徴とする請求項５または請求項６に記載のエレベータ装置。
【発明の詳細な説明】
【技術分野】
【０００１】
この発明は、かごが昇降路を昇降するエレベータ装置に関する。
【背景技術】
【０００２】
従来、利用者がかご戸から離れることを促すアナウンスをかご内にするアナウンス装置と、アナウンス装置によるアナウンスが終了した後に戸を戸開方向に移動させる戸制御装置とを備えたエレベータ装置が知られている。戸の戸開方向への移動が開始する前に、アナウンス装置がアナウンスをするので、かご内の利用者の注意が喚起され、戸開時に利用者の手等が戸袋に挟まれることが防止される（例えば、特許文献１参照）。
【先行技術文献】
【特許文献】
【０００３】
【特許文献１】特開２００３−４０５６２号公報
【発明の概要】
【発明が解決しようとする課題】
【０００４】
しかしながら、例えば、かご呼びによってかごが乗場に停止するときに、乗場の出入口付近の領域に利用者がいると、かごから降りようとする利用者と、乗場の出入口付近にいる利用者との間に接触が生じてしまう恐れがある。これにより、利用者によるかごへの乗り降りに時間がかかってしまうという問題点があった。
【０００５】
この発明は、利用者によるかごへの乗り降りをスムーズにさせることができるエレベータ装置を提供するものである。
【課題を解決するための手段】
【０００６】
この発明に係るエレベータ装置は、かごおよび乗場のうちの何れか一方の出入口付近の領域における被検出体を検出する検出装置と、前記領域にアナウンスをするアナウンス装置と、前記かごの昇降を制御するエレベータ制御装置と、前記かごおよび前記乗場のうちの他方に設けられ、操作されることにより前記エレベータ制御装置が呼びを登録する操作装置と、前記呼びによって前記かごが前記乗場に停止するときに、前記検出装置の検出信号に基づいて、前記アナウンス装置にアナウンスをさせるアナウンス制御装置とを備えている。
【発明の効果】
【０００７】
この発明に係るエレベータ装置によれば、かごおよび乗場のうちの他方に設けられた操作装置が操作されることによりエレベータ制御装置に登録された呼びによってかごが乗場に停止するときに、かごおよび乗場のうちの一方の出入口付近の領域における被検出体を検出する検出装置の検出信号に基づいて、アナウンス制御装置が、かごおよび乗場のうちの一方の出入口付近の領域にアナウンスをさせるので、かごおよび乗場のうちの一方の出入口付近の領域にいる被検出体の注意を喚起することができる。これにより、利用者によるかごへの乗り降りをスムーズにさせることができる。
【図面の簡単な説明】
【０００８】
【図１】この発明の実施の形態１に係るエレベータ装置を示す側面図である。
【図２】図１のエレベータ装置を示す平面図である。
【図３】図１のエレベータ装置を示す正面図である。
【図４】図１のエレベータ装置の動作の流れを示すフローチャートである。
【図５】この発明の実施の形態２に係るエレベータ装置を示す側面図である。
【図６】図５のエレベータ装置を示す平面図である。
【図７】図６のエレベータ装置を示す正面図である。
【発明を実施するための形態】
【０００９】
以下、この発明の各実施の形態を図に基づいて説明するが、各図において、同一または相当の部材、部位については、同一符号を付して説明する。
【００１０】
実施の形態１．
図１はこの発明の実施の形態１に係るエレベータ装置を示す側面図、図２は図１のエレベータ装置を示す平面図、図３は図１のエレベータ装置を示す正面図である。図において、エレベータ装置の昇降路には、かご１が昇降可能に設けられている。かご１の内壁には、かご１内の利用者によって操作されるかご操作盤（かご側操作装置）２が設けられている。かご１の天井には、かご１の出入口付近の領域における利用者（被検出体）を検出するかご側検出装置３が設けられている。また、かご１の天井には、かご１の出入口付近の領域に向かってアナウンスをするかご側アナウンス装置４が設けられている。かご１の出入口には、かご１の出入口を開閉するかご戸５が設けられている。
【００１１】
かご側検出装置３は、監視カメラ装置３ａを有している。かご側検出装置３は、かご１内に利用者がいないときに監視カメラ装置３ａにより撮影されたかご１の出入口付近の領域の画像を記憶しており、この記憶されている画像と監視カメラ装置３ａが新しく撮影したかご１の出入口付近の領域の画像とを比較することにより、かご１の出入口付近の領域における利用者を検出する。
【００１２】
エレベータの乗場６には、乗場６の出入口を形成する三方枠７が設けられている。三方枠７には、乗場６の出入口付近の領域における利用者（被検出体）を検出する乗場側検出装置８が設けられている。また、三方枠７には、乗場６の出入口付近の領域に向かってアナウンスをする乗場側アナウンス装置９が設けられている。また、三方枠７には、かご１内における利用者の有無を表示するインジケータ１０と、乗場６の利用者によって操作される乗場操作釦（乗場側操作装置）１１が設けられている。乗場６の出入口には、乗場６の出入口を開閉する乗場戸１２が設けられている。乗場戸１２は、かご戸５の移動に連動して移動するようになっている。
【００１３】
乗場側検出装置８は、３組の光センサ１３を有している。光センサ１３は、発光部１３ａおよび受光部１３ｂを有している。発光部１３ａおよび受光部１３ｂは、三方枠７の一対のたて枠における互いに対向する面に、発光部１３ａおよび受光部１３ｂが互いに対向するように配置されている。光センサ１３は、縦方向に並べて配置されている。
【００１４】
インジケータ１０および乗場操作釦１１は、三方枠７の前面に配置されている。
【００１５】
かご１の天井には、かご側アナウンス装置４および乗場側アナウンス装置９によるアナウンスを制御し、また、インジケータ１０の表示を制御するアナウンス制御装置１４が設けられている。アナウンス制御装置１４には、かご側検出装置３からの検出信号および乗場側検出装置８からの検出信号が送られるようになっている。
【００１６】
アナウンス制御装置１４には、かご１の昇降を制御するエレベータ制御装置１５が電気的に接続されている。エレベータ制御装置１５は、昇降中のかご１を停止させるときに、かご１の停止が開始されることを意味するエレベータ停止信号をアナウンス制御装置１４に送るようになっている。かご戸５および乗場戸１２は、エレベータ制御装置１５の制御により各出入口を開閉するようになっている。
【００１７】
エレベータ制御装置１５は、かご操作盤２が操作されることによってかご呼びを登録し、かご呼びが登録されたことを意味するかご呼び信号をアナウンス制御装置１４に送るようになっている。エレベータ制御装置１５は、かご呼びを登録すると、かご１を目的階の乗場６に移動させる。
【００１８】
また、エレベータ制御装置１５は、乗場操作釦１１が操作されることによって乗場呼びを登録し、乗場呼びが登録されたことを意味する乗場呼び信号をアナウンス制御装置１４に送るようになっている。エレベータ制御装置１５は、乗場呼びを登録すると、操作された乗場操作釦１１が配置されている階の乗場６にかご１を移動させる。
【００１９】
検出装置は、かご側検出装置３および乗場側検出装置８から構成されている。アナウンス装置は、かご側アナウンス装置４および乗場側アナウンス装置９から構成されている。操作装置は、かご操作盤２および乗場操作釦１１から構成されている。エレベータ装置は、かご１、検出装置、アナウンス装置、操作装置、インジケータ１０、アナウンス制御装置１４およびエレベータ制御装置１５から構成されている。エレベータ制御装置１５が登録する呼びは、かご呼びおよび乗場呼びから構成されている。
【００２０】
次に、エレベータ装置の動作について説明する。図４は図１のエレベータ装置の動作の流れを示すフローチャートである。まず、エレベータ制御装置１５は、かご操作盤２または乗場操作釦１１が操作されると、この操作に対応したかご呼びまたは乗場呼びの登録をし、さらに、この登録に対応したかご呼び信号または乗場呼び信号をアナウンス制御装置１４に送る。なお、エレベータ制御装置１５は、かご操作盤２および乗場操作釦１１の両方が操作されると、かご呼びおよび乗場呼びの両方を登録し、かご呼び信号および乗場呼び信号の両方をアナウンス制御装置１４に送る。
【００２１】
その後、エレベータ制御装置１５の制御によりかご１の昇降が開始されると、アナウンス制御装置１４は、エレベータ制御装置１５からエレベータ停止信号を受けたか否かを判定する（ステップＳ１）。ステップＳ１で、エレベータ制御装置１５からエレベータ停止信号を受けていないとアナウンス制御装置１４が判定すると、ステップＳ１が繰り返される。
【００２２】
一方、ステップＳ１で、エレベータ制御装置１５からエレベータ停止信号を受けたとアナウンス制御装置１４が判定すると、アナウンス制御装置１４は、かご呼び信号および乗場呼び信号のうち、かご呼び信号のみをエレベータ制御装置１５から受けているか否かを判定する（ステップＳ２）。ステップＳ２で、かご呼び信号のみをエレベータ制御装置１５から受けているとアナウンス制御装置１４が判定すると、アナウンス制御装置１４は、乗場側検出装置８からの検出信号に基づいて、乗場６の出入口付近の領域における利用者の有無を判定する（ステップＳ３）。ステップＳ３で、乗場６の出入口付近の領域に利用者がいないとアナウンス制御装置１４が判定すると、そのまま、かご１が目的階の乗場６に停止する。
【００２３】
一方、ステップＳ３で、乗場６の出入口付近の領域に利用者がいるとアナウンス制御装置１４が判定すると、アナウンス制御装置１４は、かご側検出装置３からの検出信号に基づいて、かご１の出入口付近の領域における利用者の有無を判定する（ステップＳ４）。ステップＳ４で、かご１の出入口付近の領域に利用者がいるとアナウンス制御装置１４が判定すると、アナウンス制御装置１４は、乗場側アナウンス装置９に、「お降りになる方がいます。出入口を開けてください。」という旨のアナウンスをさせる（ステップＳ５）。これにより、乗場６の出入口付近の領域にいる利用者の注意が喚起され、乗場６の出入口付近の領域には利用者がいなくなる。
【００２４】
その後、アナウンス制御装置１４は、かご側アナウンス装置４に、「乗場に障害物がある恐れがあります。ご注意ください。」という旨のアナウンスをさせる（ステップＳ６）。これにより、乗場６の出入口付近の領域に、例えば、カート等の障害物がある場合に、かご１から乗場６に降りようとする利用者の注意が喚起される。その後、かご１が目的階の乗場６に停止する。
【００２５】
一方、ステップＳ４で、かご１の出入口付近の領域に利用者がいないとアナウンス制御装置１４が判定すると、アナウンス制御装置１４は、インジケータ１０にかご１内に利用者がいることを表示させる（ステップＳ７）。その後、ステップＳ６に進む。
【００２６】
ステップＳ２で、かご呼び信号および乗場呼び信号のうち、エレベータ制御装置１５から受けた信号がかご呼び信号のみではないとアナウンス制御装置１４が判定すると、アナウンス制御装置１４は、かご呼び信号および乗場呼び信号のうち、乗場呼び信号のみをエレベータ制御装置１５から受けているか否かを判定する（ステップＳ８）。
【００２７】
ステップＳ８で、乗場呼び信号のみをエレベータ制御装置１５から受けているとアナウンス制御装置１４が判定すると、アナウンス制御装置１４は、かご側検出装置３からの検出信号に基づいて、かご１の出入口付近の領域における利用者の有無を判定する（ステップＳ９）。ステップＳ９で、かご１の出入口付近の領域に利用者がいるとアナウンス制御装置１４が判定すると、アナウンス制御装置１４は、乗場側検出装置８からの検出信号に基づいて、乗場６の出入口付近の領域における利用者の有無を判定する（ステップＳ１０）。
【００２８】
ステップＳ１０で、乗場６の出入口付近の領域に利用者がいるとアナウンス制御装置１４が判定すると、アナウンス制御装置１４は、かご側アナウンス装置４に、「お乗りになる方がいます。出入口を開けてください。」という旨のアナウンスをさせる（ステップＳ１１）。これにより、かご１の出入口付近の領域にいる利用者の注意が喚起され、かご１の出入口付近の領域には利用者がいなくなる。その後、アナウンス制御装置１４は、乗場側アナウンス装置９に、「出入口に乗客がいる恐れがあります。ご注意ください。」という旨のアナウンスをさせる（ステップＳ１２）。その後、かご１が乗場６に停止する。
【００２９】
一方、ステップＳ１０で、乗場６の出入口付近の領域に利用者がいないとアナウンス制御装置１４が判定すると、ステップＳ１２に進む。
【００３０】
ステップＳ９で、かご１の出入口付近の領域に利用者がいないとアナウンス制御装置１４が判定すると、アナウンス制御装置１４は、インジケータ１０にかご１内に利用者の有無を表示させる（ステップＳ１３）。その後、かご１が乗場６に停止する。
【００３１】
ステップＳ８で、かご呼び信号および乗場呼び信号のうち、エレベータ制御装置１５から受けた信号が乗場呼び信号のみではないとアナウンス制御装置１４が判定する（この場合、アナウンス制御装置１４は、かご呼び信号および乗場呼び信号の両方を受けていることになる。）と、アナウンス制御装置１４は、乗場側検出装置８からの検出信号に基づいて、乗場６の出入口付近の領域における利用者の有無を判定する（ステップＳ１４）。
【００３２】
ステップＳ１４で、乗場６の出入口付近の領域には利用者がいないとアナウンス制御装置１４が判定すると、そのまま、かご１が乗場６に停止する。
【００３３】
一方、ステップＳ１４で、乗場６の出入口付近の領域に利用者がいるとアナウンス制御装置１４が判定すると、アナウンス制御装置１４は、かご側検出装置３からの検出信号に基づいて、かご１の出入口付近の領域における利用者の有無を判定する（ステップＳ１５）。ステップＳ１５で、かご１の出入口付近の領域に利用者がいるとアナウンス制御装置１４が判定すると、アナウンス制御装置１４は、乗場側アナウンス装置９に、「お降りになる方がいます。出入口を開けてください。」という旨のアナウンスをさせる（ステップＳ１６）。これにより、乗場６の出入口付近の領域にいる利用者の注意が喚起され、乗場６の出入口付近の領域には利用者がいなくなる。
【００３４】
その後、アナウンス制御装置１４は、かご側アナウンス装置４に、「乗場に障害物がある恐れがあります。ご注意ください。」という旨のアナウンスをさせる（ステップＳ１７）。これにより、乗場６の出入口付近の領域に、例えば、カート等の障害物がある場合に、かご１から降りる利用者の注意が喚起される。その後、かご１が目的階の乗場６に停止する。
【００３５】
一方、ステップＳ１５で、かご１の出入口付近の領域に利用者がいないとアナウンス制御装置１４が判定すると、アナウンス制御装置１４は、インジケータ１０にかご１内に利用者がいることを表示させる（ステップＳ１８）。その後、ステップＳ１７に進む。
【００３６】
以上説明したように、この発明の実施の形態１に係るエレベータ装置によれば、かご１および乗場６のうちの他方に設けられた操作装置が操作されることによりエレベータ制御装置に登録された呼びによってかご１が乗場６に停止するときに、かご１および乗場６のうちの一方の出入口付近の領域における利用者を検出する検出装置の検出信号に基づいて、アナウンス制御装置が、かご１および乗場６のうちの一方の出入口付近の領域にアナウンスをさせるので、かご１および乗場６のうちの一方の出入口付近の領域にいる利用者の注意を喚起することができる。これにより、利用者によるかごへの乗り降りをスムーズにさせることができる。
【００３７】
また、かご呼びによってかご１が乗場６に停止するときに、乗場６の出入口付近の領域における利用者を検出する乗場側検出装置８の検出信号に基づいて、アナウンス制御装置１４が、乗場６の出入口付近の領域にアナウンスをする乗場側アナウンス装置９にアナウンスをさせるので、かご呼びによってかご１が乗場６に停止するときにかご１から降りようとする利用者と乗場６の出入口付近の領域にいる人との間の接触の発生を防止することができる。これにより、かご１にいる利用者が乗場６へスムーズに移動することができる。
【００３８】
また、かご呼びによってかご１が乗場６に停止するときに、乗場６の出入口付近の領域における利用者を検出する乗場側検出装置８の検出信号と、かご１の出入口付近の領域における利用者を検出するかご側検出装置３の検出信号とに基づいて、アナウンス制御装置１４が、乗場６の出入口付近の領域にアナウンスをする乗場側アナウンス装置９にアナウンスをさせるので、かご呼びによってかご１が乗場６に停止するときにかご１の出入口付近の領域にいる利用者と乗場６の出入口付近の領域にいる人との間の接触の発生を防止することができる。
【００３９】
また、かご呼びによってかご１が乗場６に停止するときに、乗場６の出入口付近の領域における利用者を検出する乗場側検出装置８の検出信号に基づいて、アナウンス制御装置１４が、かご１の出入口付近の領域にアナウンスをするかご側アナウンス装置４にアナウンスをさせるので、乗場６の出入口付近の領域に、例えば、カート等の障害物がある場合に、かご１から降りようとする利用者の注意を喚起することができる。
【００４０】
また、乗場呼びによってかご１が乗場６に停止するときに、かご１の出入口付近の領域における利用者を検出するかご側検出装置３の検出信号に基づいて、アナウンス制御装置１４が、かご１の出入口付近の領域にアナウンスをするかご側アナウンス装置４にアナウンスをさせるので、乗場呼びによってかご１が乗場６に停止するときにかご１の出入口付近の領域にいる利用者とかご１に乗り込もうとする利用者との間の接触の発生を防止することができる。これにより、乗場６にいる利用者がかご１へスムーズに移動することができる。
【００４１】
また、乗場呼びによってかご１が乗場６に停止するときに、かご１の出入口付近の領域における利用者を検出するかご側検出装置３の検出信号と、乗場６の出入口付近の領域における利用者を検出する乗場側検出装置８の検出信号とに基づいて、アナウンス制御装置１４が、かご１の出入口付近の領域にアナウンスをするかご側アナウンス装置４にアナウンスをさせるので、乗場呼びによってかご１が乗場６に停止するときにかご１の出入口付近の領域にいる利用者と乗場６の出入口付近の領域にいる利用者との間の接触の発生を防止することができる。これにより、乗場６にいる利用者がかご１へスムーズに移動することができる。
【００４２】
また、乗場呼びによってかご１が乗場６に停止するときに、かご１の出入口付近の領域における利用者を検出するかご側検出装置３の検出信号に基づいて、アナウンス制御装置１４が、乗場６の出入口付近の領域にアナウンスをする乗場側アナウンス装置９にアナウンスをさせるので、かご１の出入口付近の領域に、例えば、利用者がいる場合に、乗場６からかご１に乗り込もうとする利用者の注意を喚起することができる。
【００４３】
実施の形態２．
図５はこの発明の実施の形態２に係るエレベータ装置を示す側面図、図６は図５のエレベータ装置を示す平面図、図７は図５のエレベータ装置を示す正面図である。図において、乗場６の出入口には、一対のポール部材１６が設けられている。ポール部材１６は、乗場６の出入口の幅方向両端部に配置されている。乗場側検出装置８および乗場側アナウンス装置９は、ポール部材１６に取り付けられている。その他の構成は、実施の形態１と同様である。
【００４４】
以上説明したように、この発明の実施の形態２に係るエレベータ装置によれば、乗場側検出装置８および乗場側アナウンス装置９が、ポール部材１６に取り付けられているので、実施の形態１のように三方枠７に乗場側検出装置８および乗場側アナウンス装置９を取り付ける必要がなく、容易に、乗場側検出装置８および乗場側アナウンス装置９を乗場６に設置することができる。
【００４５】
なお、各上記実施の形態では、検出装置が、かご側検出装置３および乗場側検出装置８の両方を有した構成について説明したが、検出装置が、かご側検出装置３および乗場側検出装置８のうちの何れか一方のみを有した構成であってもよい。
【００４６】
また、各上記実施の形態では、アナウンス装置が、かご側アナウンス装置４および乗場側アナウンス装置９の両方を有した構成について説明したが、アナウンス装置が、かご側アナウンス装置４および乗場側アナウンス装置９のうちの何れか一方のみを有した構成であってもよい。
【００４７】
また、各上記実施の形態では、かご呼びのみによってかご１が乗場６に停止するときに、乗場側検出装置８の検出信号およびかご側検出装置３の検出信号に基づいて、アナウンス制御装置１４が乗場側アナウンス装置９にアナウンスをさせる構成について説明したが、かご呼びのみによってかご１が乗場６に停止するときに、乗場側検出装置８の検出信号のみに基づいて、アナウンス制御装置１４が乗場側アナウンス装置９にアナウンスをさせる構成であってもよい。
【００４８】
また、各上記実施の形態では、かご呼びのみによってかご１が乗場６に停止するときに、乗場側検出装置８の検出信号のみに基づいて、アナウンス制御装置１４がかご側アナウンス装置４にアナウンスをさせる構成について説明したが、かご呼びのみによってかご１が乗場６に停止するときに、乗場側検出装置８の検出信号およびかご側検出装置３の検出信号に基づいて、アナウンス制御装置１４がかご側アナウンス装置４にアナウンスをさせる構成であってもよい。
【００４９】
また、各上記実施の形態では、乗場呼びのみによってかご１が乗場６に停止するときに、かご側検出装置３の検出信号および乗場側検出装置８の検出信号に基づいて、アナウンス制御装置１４がかご側アナウンス装置４にアナウンスをさせる構成について説明したが、乗場呼びのみによってかご１が乗場６に停止するときに、かご側検出装置３の検出信号のみに基づいて、アナウンス制御装置１４がかご側アナウンス装置４にアナウンスをさせる構成であってもよい。
【００５０】
また、各上記実施の形態では、乗場呼びのみによってかご１が乗場６に停止するときに、かご側検出装置３の検出信号のみに基づいて、アナウンス制御装置１４が乗場側アナウンス装置９にアナウンスをさせる構成について説明したが、乗場呼びのみによってかご１が乗場６に停止するときに、かご側検出装置３の検出信号および乗場側検出装置８の検出信号に基づいて、アナウンス制御装置１４が乗場側アナウンス装置９にアナウンスをさせる構成であってもよい。
【００５１】
また、各上記実施の形態では、かご呼びおよび乗場呼びの両方によってかご１が乗場６に停止するときに、かご側検出装置３の検出信号および乗場側検出装置８の検出信号に基づいて、アナウンス制御装置１４が乗場側アナウンス装置９にアナウンスをさせる構成について説明したが、かご呼びおよび乗場呼びの両方によってかご１が乗場６に停止するときに、乗場側検出装置８の検出信号のみに基づいて、アナウンス制御装置１４が乗場側アナウンス装置９にアナウンスをさせる構成であってもよい。
【００５２】
また、各上記実施の形態では、かご呼びおよび乗場呼びの両方によってかご１が乗場６に停止するときに、乗場側検出装置８の検出信号のみに基づいて、アナウンス制御装置１４がかご側アナウンス装置４にアナウンスをさせる構成について説明したが、かご呼びおよび乗場呼びの両方によってかご１が乗場６に停止するときに、かご側検出装置３の検出信号および乗場側検出装置８の検出信号に基づいて、アナウンス制御装置１４がかご側アナウンス装置４にアナウンスをさせる構成であってもよい。
【００５３】
また、各上記実施の形態では、かご側検出装置３の検出信号に基づいて、アナウンス制御装置１４がインジケータ１０にかご１内における利用者の有無を表示させる構成について説明したが、かご側検出装置３の検出信号に関係なく、かご１が乗場６に停止するときに、アナウンス制御装置１４がインジケータ１０にかご１内における利用者の有無を表示させる構成であればよい。
【００５４】
また、各上記実施の形態では、かご側検出装置３が監視カメラ装置３ａを有した構成について説明したが、例えば、光センサ、赤外線センサ、人感センサなどのセンサを有した構成であってもよい。
【００５５】
また、各上記実施の形態では、乗場側検出装置８が光センサ１３を有した構成について説明したが、監視カメラ装置、赤外線センサ、人感センサなどを有した構成であってもよい。
【符号の説明】
【００５６】
１  かご、２  かご操作盤（かご側操作装置）、３  かご側検出装置、３ａ  監視カメラ装置、４  かご側アナウンス装置、５  かご戸、６  乗場、７  三方枠、８  乗場側検出装置、９  乗場側アナウンス装置、１０  インジケータ、１１  乗場操作釦（乗場側操作装置）、１２  乗場戸、１３  光センサ、１３ａ  発光部、１３ｂ  受光部、１４  アナウンス制御装置、１５  エレベータ制御装置、１６  ポール部材。
【図１】
2013018589.tif 000003
【図２】
2013018589.tif 000004
【図３】
2013018589.tif 000005
【図４】
2013018589.tif 000006
【図５】
2013018589.tif 000007
【図６】
2013018589.tif 000008
【図７】
2013018589.tif 000009